(57)【要約】      （修正有）【課題】使用できる状態にするために広げる作業や、携行できるようにコンパクトにするために折り畳む作業に要する手間と時間を軽減した折り畳み式袋物を提供する。【解決手段】折り畳み式袋物１００は、物品を出し入れ可能な開口部１１０ａを備えた収容部１１０と、収容部１１０を持ち運ぶために把持する把持部１２０と、を備える。収容部１１０は、底面部１１０ｂの周囲に沿って弾性変形可能なループ状の第１の線材１３０が設けられており、線材１３０のループを折り曲げることで３つのリング部が形成可能とされ、リング部同士を重ねることで収容部１１０を折り畳み可能としたことを特徴とした折り畳み式袋物。【選択図】図１
2020048717.tif 000002
【特許請求の範囲】
【請求項１】
物品を出し入れ可能な開口部を備えた収容部と、前記収容部を持ち運ぶために把持する把持部と、を備えた折り畳み式袋物であって、
前記収容部は、底面部の周囲に沿って弾性変形可能なループ状の第１の線材が設けられており、前記第１の線材のループを折り曲げることで３つのリング部が形成可能とされ、前記リング部同士を重ねることで前記収容部を折り畳み可能としたことを特徴とする、折り畳み式袋物。
【請求項２】
前記収容部は、折り畳まれた前記収容部を収納可能な収納袋が前記開口部に設けられていることを特徴とする、請求項１に記載の折り畳み式袋物。
【請求項３】
前記収容部は、前記開口部の周囲に沿って弾性変形可能なループ状の第の２線材が設けられており、前記第１の線材のループと前記第２の線材のループを重ね合わせて一緒に折り曲げることで、前記第１の線材と前記第２の線材でそれぞれ３つのリング部が形成可能とされ、前記第１の線材の３つのリング部と前記第２の線材の３つのリング部とを交互に重なった状態で重ねることで前記収容部を折り畳み可能としたことを特徴とする、請求項１又は２に記載の折り畳み式袋物。
【発明の詳細な説明】
【技術分野】
【０００１】
本発明は、折り畳んで携行できる折り畳み式袋物に関する。
【背景技術】
【０００２】
従来、エコバックのような、使用しないときには折り畳んで携行し、使用するときには広げて袋状に戻して物を収容する折り畳み式袋物がある。
【先行技術文献】
【非特許文献】
【０００３】
【非特許文献１】インターネット＜ＵＲＬ：https://goo.gl/z9Naeb＞
【発明の概要】
【発明が解決しようとする課題】
【０００４】
しかしながら、従来のような折り畳み式袋物では、使用できる状態にするために広げる作業や、携行できるようにコンパクトにするために折り畳む作業が必要であり、どちらの作業にも手間と時間を要するという問題があった。
【０００５】
そこで本発明は、このような問題に鑑みてなされたもので、その目的とするところは、使用できる状態にするために広げる作業や、携行できるようにコンパクトにするために折り畳む作業に要する手間と時間を軽減した折り畳み式袋物を提供することにある。
【課題を解決するための手段】
【０００６】
上記課題を解決するために、本発明によれば、物品を出し入れ可能な開口部を備えた収容部と、前記収容部を持ち運ぶために把持する把持部と、を備えた折り畳み式袋物であって、前記収容部は、底面部の周囲に沿って弾性変形可能なループ状の第１の線材が設けられており、前記第１の線材のループを折り曲げることで３つのリング部が形成可能とされ、前記リング部同士を重ねることで前記収容部を折り畳み可能としたことを特徴とする、折り畳み式袋物が提供される。
【０００７】
かかる構成によれば、折り畳み式袋物は、第１の線材がループ状に弾性変形することにより広がり、第１の線材を折り畳んで３つのリング部を形成するだけで折り畳まれる。よって、折り畳み式袋物を使用できる状態にするために広げる作業と、携行できるようにコンパクトにするために折り畳む作業と、に要する手間と時間を軽減することができる。
【０００８】
本発明は様々な応用が可能である。以下の応用例は適宜組み合わせることが可能である。例えば、前記収容部は、折り畳まれた前記収容部を収納可能な収納袋が前記開口部に設けられているようにしてもよい。折り畳んだ袋物を収納袋に収納することにより、折り畳んだ状態で保持することができる。
【０００９】
また、前記収容部は、前記開口部の周囲に沿って弾性変形可能なループ状の第の２線材が設けられており、前記第１の線材のループと前記第２の線材のループを重ね合わせて一緒に折り曲げることで、前記第１の線材と前記第２の線材でそれぞれ３つのリング部が形成可能とされ、前記第１の線材の３つのリング部と前記第２の線材の３つのリング部とを交互に重なった状態で重ねることで前記収容部を折り畳み可能としてもよい。底面部の第１の線材と開口部の第２の線材によって収容部が上下方向に渡って一定の形状に保持されるので、収容した物品が収容部の側面に押圧されて変形することを防止することができる。
【発明の効果】
【００１０】
本発明によれば、使用できる状態にするために広げる作業や、携行できるようにコンパクトにするために折り畳む作業に要する手間と時間を軽減した折り畳み式袋物を提供することが可能である。本発明のその他の効果については、後述する発明を実施するための形態においても説明する。
【図面の簡単な説明】
【００１１】
【図１】第１の実施形態の折り畳み式袋物１００の全体図である。
【図２】折り畳み式袋物１００の側面図である。
【図３】折り畳み式袋物１００の底面図である。
【図４】折り畳み式袋物１００を畳む手順を示す図であり、（ａ）は収容部１１０を底面部１１０ｂに載置した状態を示す図であり、（ｂ）は収容部１１０を折り畳んだ状態を示す図である。
【図５】第２の実施形態の折り畳み式袋物２００の全体図である。
【図６】折り畳み式袋物２００を畳む手順を示す図であり、（ａ）は収容部２１０を底面部２１０ｂに載置した状態を示す図であり、（ｂ）は収容部２１０を折り畳んだ状態を示す図であり、（ｃ）は（ｂ）のＡ−Ａ断面の拡大図である。
【発明を実施するための形態】
【００１２】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１３】
（第１の実施形態）
第１の実施形態の折り畳み式袋物１００の構成について、図１〜図３を参照しながら説明する。図１は、本実施形態の折り畳み式袋物１００の全体図である。図２は、折り畳み式袋物１００の側面図である。図３は、折り畳み式袋物１００の底面図である。
【００１４】
本実施形態の折り畳み式袋物１００は、図１〜図３に示したように、物品を出し入れ可能な開口部１１０ａを備えた収容部１１０と、収容部１１０を持ち運ぶために把持する把持部１２０と、を備えたことを特徴とする。以下、各構成要素について詳述する。
【００１５】
（収容部１１０）
収容部１１０は、底面部１１０ｂの周囲に沿って弾性変形可能なループ状の線材（第１の線材）１３０が設けられており、線材１３０のループを折り曲げることで３つのリング部１３０ａ、１３０ｂ、１３０ｃが形成可能とされ、リング部１３０ａ、１３０ｂ、１３０ｃ同士を重ねることで収容部１１０を折り畳み可能としたことを特徴とする。以下、収容部１１０の構成について、図１〜図３を参照しながら説明する。
【００１６】
収容部１１０は、物品を収容する部分である。収容部１１０は、図１及び図２に示したように、袋状に構成されており、上部が開口部１１０ａとなっている。収容部１１０は、ポリエステル系の素材や綿、麻、絹などの繊維で構成されており、変形自在である。収容部１１０の内側の側部には、折り畳んだ収容部１１０及び後述する把持部１２０を収容するためのポケット（収納袋）１１２が設けられている。ポケット１１２の上端は収容部１１０の上端に連結されている。ポケット１１２の上端には、収容部１１０をポケット１１２内に出し入れするための開口が設けられている。底面部１１０ｂは、外周に沿ってループ状に構成されており、ループ内を線材１３０が挿通する。
【００１７】
（把持部１２０）
把持部１２０は、収容部１１０を持ち運ぶために把持する部分である。把持部１２０は、図１及び図２に示したように、収容部１１０の対向する２つの面の上端からそれぞれ上方に突出する円弧状に構成されている。把持部１２０は、収容部１１０と一体に構成されていてもよく、また、収容部１１０とは別体に構成されて、縫製や接着などの手段を用いて収容部１１０に連結されてもよく、任意の構成とすることができる。収容部１１０と把持部１２０の素材は、同じでもよく、異なっていてもよい。
【００１８】
（線材１３０）
線材１３０は、収容部１１０を折り畳んだり、開いたりするためのものである。線材１３０は、図１〜図３に示したように、収容部１１０の底面部１１０ｂの周囲に沿ってループ状に設けられている。線材１３０は、バネ鋼などの弾性変形可能なワイヤであり、前述のように収容部１１０の底面部１１０ｂの外周に設けられる。線材１３０は、例えばワンタッチテントなどのように、折り曲げることで、後述するように、３つのリング部１３０ａ、１３０ｂ、１３０ｃが形成可能とされる。３つのリング部１３０ａ、１３０ｂ、１３０ｃが重なり合うことによって、収容部１１０が折り畳まれる。
【００１９】
以上、折り畳み式袋物１００の構成について説明した。次に、折り畳み式袋物１００の作用について、図４を参照しながら説明する。図４は、折り畳み式袋物１００を畳む手順を示す図であり、（ａ）は、収容部１１０及び把持部１２０を底面部１１０ｂに載置した状態を示す図であり、（ｂ）は収容部１１０を折り畳んだ状態を示す図である。
【００２０】
折り畳み式袋物１００を畳むときには、図４（ａ）に示したように、まず収容部１１０及び把持部１２０を底面部１１０ｂに載せる。このとき、ポケット１１２は、底面部１１０ｂの外に置く。次に、線材１３０を長さ方向に２つに折り曲げ、上に配された線材１３０の両側部で２つのリングを作る。このため、線材１３０は、図４（ｂ）に示したように、２つ折りにした下の部分と、上に配された部分で作った２つのリングとによって、３つのリング部１３０ａ、１３０ｂ、１３０ｃが形成される。３つのリング部１３０ａ、１３０ｂ、１３０ｃを重ね合わせて、ポケット１１２に収納する。よって、折り畳み式袋物１００が折り畳まれた状態で形状が保持される。ポケット１１２に収納された折り畳み式袋物１００は、バッグに入れたり、手で持ったりなどして持ち運ぶことができる。
【００２１】
折り畳み式袋物１００を開くときには、ポケット１１２から収容部１１０及び把持部１２０を取り出す。すると、線材１３０が３つのリング部１３０ａ、１３０ｂ、１３０ｃから１つのリング状に弾性変形する。よって、図４（ａ）に示したように、収容部１１０の底面部１１０ｂが線材１３０によって強制的に開くため、底面部１１０ｂに追従して収容部１１０が開く。この後、把持部１２０を持って引き上げることにより、図１に示したように、収容部１１０は物品を収容可能な状態になる。
【００２２】
（第１の実施形態の効果）
以上説明したように、本実施形態によれば、折り畳み式袋物１００は、線材１３０がループ状に弾性変形することにより広がり、線材１３０を折り畳んで３つのリング部を形成するだけで折り畳まれる。よって、折り畳み式袋物１００を使用できる状態にするために広げる作業と、携行できるようにコンパクトにするために折り畳む作業と、に要する手間と時間を軽減することができる。
【００２３】
また、折り畳んだ袋物１００をポケット１１２に収納することにより、意図せず線材１３０が広がることを防止することができ、折り畳んだ状態で保持することができる。
【００２４】
（第２の実施形態）
第２の実施形態に係る折り畳み式袋物２００の構成について、図５を参照しながら説明する。図５は、第２の実施形態の折り畳み式袋物２００の全体図である。本実施形態の折り畳み式袋物２００は、底面部２１０ｂの外周の他に、開口部２１０ａの周囲にも線材２３０が設けられている点が、上記第１の実施形態の折り畳み式袋物１００と相違する点である。本実施形態では、上記第１の実施形態と異なる点を中心に説明する。実質的に同一の機能構成を有する構成要素については、同一の符号を付することにより重複説明を省略することがある。
【００２５】
本実施形態の折り畳み式袋物２００の収容部２１０、ポケット２１２、把持部２２０、第１及び第２の線材２３０、２３２は、第１の実施形態の折り畳み式袋物１００の収容部１１０、ポケット１１２、把持部１２０、線材１３０に対応するものである。
【００２６】
収容部２１０は、図５に示したように、底面部２１０ｂの外周と開口部２１０ａの周囲にそれぞれ第１及び第２の線材２３０、２３２が設けられている。底面部２１０ｂは、第１の実施形態の底面部２１０ｂと同様の構成をしており、ループ内を第１の線材２３０が挿通する。開口部２１０ａは、周囲が底面部２１０ｂと同様のループ状に構成されて、ループ内に第２の線材２３２が挿通する。収容部２１０の内側の側部には、折り畳んだ収容部２１０及び把持部２２０を収容するためのポケット（収納袋）２１２が設けられている。
【００２７】
把持部２２０は、図５に示したように、ベルト状に構成されており、２本の把持部２２０の両端が開口部２１０ａにそれぞれ連結されている。把持部２２０は、両端が開口部２１０ａに連結される構成としたが、第１の実施形態の把持部１２０と同様に収容部２１０と一体の構成にするなど、任意の構成にすることができる。
【００２８】
以上、折り畳み式袋物２００の構成について説明した。次に、折り畳み式袋物２００の作用について、図６を参照しながら説明する。図６は、折り畳み式袋物２００を畳む手順を示す図であり、（ａ）は、収容部２１０及び把持部２２０を底面部２１０ｂに載置した状態を示す図であり、（ｂ）は収容部２１０を折り畳んだ状態を示す図であり、（ｃ）は（ｂ）のＡ−Ａ断面の拡大図である。
【００２９】
折り畳み式袋物２００を畳むときには、図６（ａ）に示したように、まず、収容部２１０を上下方向に潰して把持部２２０とともに底面部２１０ｂの上に載せる。このとき、底面部２１０ｂの第１の線材２３０と開口部２１０ａの第２の線材２３２が重ね合うようにする。この後は、第１の実施形態の折り畳み式袋物１００と同様に、図６（ｂ）に示したように、第１の線材２３０のループと第２の線材２３２のループを重ね合わせた状態で一緒に折り曲げることで、前記第１の線材と前記第２の線材でそれぞれの３つのリング部を形成する。前記第１の線材の３つのリング部と前記第２の線材の３つのリング部を、図６（ｃ）に示したように、それぞれ交互に重なった状態で重ねることで収容部２１０を折り畳む。折り畳んだ収容部２１０をポケット２１２に収納する。
【００３０】
折り畳み式袋物２００を開くときには、第１の実施形態の折り畳み式袋物１００と同様に開くことができる。すなわち、折り畳み式袋物２００をポケット２１２から取り出すと、底面部２１０ｂの第１の線材２３０と開口部２１０ａの第２の線材２３２がリング状に弾性変形する。よって、第１、第２の線材２３０、２３２によって底面部２１０ｂと開口部２１０ａが強制的に開くため、図６（ａ）に示したように、底面部２１０ｂと開口部２１０ａに追従して収容部２１０の側面が開く。この後、把持部１２０を持って引き上げることにより、図１に示したように、収容部１１０は、上下方向に渡って一定の形状を保持するように広がり、物品を収容可能な状態になる。
【００３１】
（第２の実施形態の効果）
以上説明したように、本実施形態によれば、底面部２１０ｂと開口部２１０ａに第１、第２の線材２３０、２３２を設けたため、収容部２１０が上下方向に渡って一定の形状を保持する。このため、収容部２１０に収容された物品が収容部２１０の側面に押圧されて変形することを防止することができる。
【００３２】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００３３】
例えば、上記実施形態では、収容部は、折り畳まれた収容部を収納可能な収納袋が開口部に設けられている構成としたが、本発明はこの例に限定されない。収容部が折り畳まれた状態を保持できる構成であれば、任意の構成とすることができる。例えば、収納袋を別体にしたり、折り畳たまれた収容部の周囲にベルト状のものを巻き付けたりしてもよい。
【００３４】
上記実施形態、応用例、変形例は、任意に組み合わせて実施することができる。
【産業上の利用可能性】
【００３５】
本発明は、折り畳み式袋物に利用可能である。
【符号の説明】
【００３６】
１００、２００  折り畳み式袋物
１１０、２１０  収容部
１１０ａ、２１０ａ  開口部
１１０ｂ、２１０ｂ  底面部
１１２、２１２  ポケット（収納袋）
１２０、２２０  把持部
１３０、２３０  第１の線材
１３０ａ、１３０ｂ、１３０ｃ  リング部
２３２  第２の線材
【図１】
2020048717.tif 000003
【図２】
2020048717.tif 000004
【図３】
2020048717.tif 000005
【図４】
2020048717.tif 000006
【図５】
2020048717.tif 000007
【図６】
2020048717.tif 000008